(57)【要約】【課題】狭額縁化が可能な表示装置を提供する。【解決手段】第１平坦部と、前記第１平坦部に隣接する曲げ部と、を備えた表示パネルと、第１偏光層を備えた第１光学フィルムと、を備え、前記第１光学フィルムは、前記第１平坦部に接着され、前記曲げ部と重畳する少なくとも１つの溝を備えている、表示装置。【選択図】      図５
2019060906.tif 000002
【特許請求の範囲】
【請求項１】
第１平坦部と、前記第１平坦部に隣接する曲げ部と、を備えた表示パネルと、
第１偏光層を備えた第１光学フィルムと、を備え、
前記第１光学フィルムは、前記第１平坦部と、前記曲げ部とに配置され、
前記第１光学フィルムは、前記曲げ部に、前記第１平坦部と厚さが異なる、第１部分を有する表示装置。
【請求項２】
前記第１光学フィルムは、前記第１部分で厚さが薄い、請求項１に記載の表示装置。
【請求項３】
前記第１光学フィルムは、前記第１偏光層を２つの支持層で挟んだ積層構造を有し、前記第１部分での厚さは、前記支持層の厚さよりも薄い、請求項２に記載の表示装置。
【請求項４】
前記第１光学フィルムは、接着層で前記第１平坦部に接着され、前記第１部分での厚さは、前記接着層の厚さよりも薄い、請求項２に記載の表示装置。
【請求項５】
前記第１光学フィルムの前記第１部分は、前記第１平坦部と前記曲げ部の境界線に沿って溝を形成している、請求項２に記載の表示装置。
【請求項６】
前記表示パネルは、さらに、前記曲げ部を挟んで前記第１平坦部とは反対側に位置する第２平坦部を備え、
前記第１光学フィルムは、前記第２平坦部に前記接着層で接着されている、請求項３に記載の表示装置。
【請求項７】
前記第１光学フィルムは、前記曲げ部にも前記接着層で接着されている、請求項３に記載の表示装置。
【請求項８】
前記第１平坦部を平面視した場合の前記曲げ部の幅は、
前記表示パネルと、前記第１光学フィルムとの厚さの総和より小さい、請求項３に記載の表示装置。
【請求項９】
前記溝は、前記表示パネルから離間した側の第１幅が前記表示パネルに近接する側の第２幅より大きい断面を有する、請求項５に記載の表示装置。
【発明の詳細な説明】
【技術分野】
【０００１】
本発明の実施形態は、表示装置に関する。
【背景技術】
【０００２】
液晶表示装置や有機エレクトロルミネッセンス表示装置などの表示装置は、画像を表示する表示領域と、表示領域の周囲の非表示領域とを備えている。非表示領域には、画素を駆動するための各種回路が配置される。また、一対の基板を貼り合せるためのシールも、非表示領域に配置される。近年では、表示装置を狭額縁化するための技術が種々検討されている。  
表示パネルと偏光板とを接着するのに際しては、偏光板の端部が表示領域に重畳したり、表示パネルからはみ出したりすることは好ましくない。このため、狭額縁化に伴い、表示パネルに対する偏光板の位置合わせに、高い精度が要求される。  
例えば、液晶パネルの少なくとも一端からはみ出すように偏光板を貼り、偏光板の液晶パネルからはみ出した部分を、レーザー光を使用して切断する技術が知られている。
【先行技術文献】
【特許文献】
【０００３】
【特許文献１】特開２０１３−２２８４３９号公報
【発明の概要】
【発明が解決しようとする課題】
【０００４】
本実施形態の目的は、狭額縁化が可能な表示装置を提供することにある。
【課題を解決するための手段】
【０００５】
本実施形態によれば、
第１平坦部と、前記第１平坦部に隣接する曲げ部と、を備えた表示パネルと、第１偏光層を備えた第１光学フィルムと、を備え、前記第１光学フィルムは、前記第１平坦部に接着され、前記第１光学フィルムの厚さを、前記曲げ部において前記平坦部よりも薄くすることで、前記曲げ部と重畳する少なくとも１つの溝を備えている、表示装置が提供される。  
本実施形態によれば、
画像を表示する表示領域と、前記表示領域の周囲の非表示領域と、を備えた表示装置であって、前記非表示領域に曲げ部を備えた表示パネルと、前記表示パネルに接着され、第１偏光層を含む第１光学フィルムと、を備え、前記非表示領域の額縁幅は、前記表示パネルの厚さ及び前記第１光学フィルムの厚さの総和より小さい、表示装置が提供される。  
本実施形態によれば、
画像を表示する表示領域と、前記表示領域の周囲の非表示領域と、を備えた表示装置であって、表示パネルと、前記表示パネルに接着され、第１偏光層を備えた第１光学フィルムと、を備え、前記第１光学フィルムは、前記非表示領域において、直線状に形成された溝を有する、表示装置が提供される。
【図面の簡単な説明】
【０００６】
【図１】図１は、本実施形態の表示装置ＤＳＰの構成を示す平面図である。
【図２】図２は、図１のＡ−Ｂ線で切断した表示装置ＤＳＰを示す断面図である。
【図３】図３は、曲げ線ＢＬ１及びＢＬ２に沿って表示装置ＤＳＰを曲げた状態を説明するための図である。
【図４】図４は、曲げ線ＢＬ３及びＢＬ４に沿って表示装置ＤＳＰを曲げた状態を説明するための図である。
【図５】図５は、曲げ線ＢＬ１に沿って曲げた表示装置ＤＳＰを示す斜視図である。
【図６】図６は、図３に示した曲げ線ＢＬ１及びＢＬ２に沿って表示装置ＤＳＰを曲げる際に適用可能な第１光学フィルムＯＦ１及び第２光学フィルムＯＦ２を示す図である。
【図７】図７は、図４に示した曲げ線ＢＬ３及びＢＬ４に沿って表示装置ＤＳＰを曲げる際に適用可能な第１光学フィルムＯＦ１及び第２光学フィルムＯＦ２を示す図である。
【図８】図８は、表示装置ＤＳＰの他の構成例を示す断面図である。
【図９】図９は、表示装置ＤＳＰの他の構成例を示す断面図である。
【図１０】図１０は、表示装置ＤＳＰの他の構成例を示す断面図である。
【図１１】図１１は、表示装置ＤＳＰの他の構成例を示す断面図である。
【図１２】図１２は、表示装置ＤＳＰの構成を示す図である。
【図１３】図１３は、画素ＰＸの構成例を示す断面図である。
【図１４】図１４は、表示パネルＰＮＬとともに第１光学フィルムＯＦ１及び第２光学フィルムＯＦ２を９０°曲げた状態を示す断面図である。
【図１５】図１５は、溝ＧＲ１の形成例を示す断面図である。
【図１６】図１６は、溝ＧＲ１の他の形成例を示す断面図である。
【図１７】図１７は、溝ＧＲ１及び溝Ｒ２の形成例を示す断面図である。
【図１８】図１８は、溝ＧＲ１及び溝ＧＲ２の他の形成例を示す断面図である。
【図１９】図１９は、溝ＧＲ１及び溝ＧＲ２の他の形成例を示す断面図である。
【図２０】図２０は、溝ＧＲ１及び溝ＧＲ２の他の形成例を示す断面図である。
【図２１】図２１は、溝ＧＲ１及び溝ＧＲ２の他の形成例を示す断面図である。
【図２２】図２２は、溝ＧＲ１の形状例を示す図である。
【図２３】図２３は、溝ＧＲ１の他の形状例を示す図である。
【図２４】図２４は、溝ＧＲ１を備えた第１光学フィルムＯＦ１の他の断面を示す図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの構成を示す平面図である。なお、図示された第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。以下の説明において、第３方向Ｚを示す矢印の先端に向かう方向を「上」と称し、矢印の先端から逆に向かう方向を「下」と称する。「第１部材の上の第２部材」及び「第１部材の下の第２部材」とした場合、第２部材は、第１部材に接していてもよいし、第１部材から離間していてもよい。また、第３方向Ｚを示す矢印の先端側から第１方向Ｘ及び第２方向Ｙによって規定されるＸ−Ｙ平面をみることを平面視という。
【０００９】
表示装置ＤＳＰは、表示パネルＰＮＬを備えている。表示パネルＰＮＬは、例えば、液晶パネルであり、第１基板ＳＵＢ１と、第２基板ＳＵＢ２と、液晶層（後述する液晶層ＬＣ）と、を備えている。第１基板ＳＵＢ１及び第２基板ＳＵＢ２は、第３方向Ｚに対向し、シールＳＬによって接着されている。
【００１０】
表示装置ＤＳＰは、画像を表示する表示領域ＤＡと、表示領域ＤＡの周囲の非表示領域ＮＤＡと、を備えている。非表示領域ＮＤＡは、額縁状に形成されている。シールＳＬは、非表示領域ＮＤＡに位置している。表示領域ＤＡは、第２基板ＳＵＢ２に備えられた遮光層ＬＳによって囲まれている。シールＳＬは、平面視で遮光層ＬＳと重畳している。図１において、シールＳＬは右上がりの斜線で示し、遮光層ＬＳは右下がりの斜線で示している。
【００１１】
表示装置ＤＳＰは、第１方向Ｘに沿って延出した辺Ｅ１及びＥ２と、第２方向Ｙに沿って延出した辺Ｅ３及びＥ４と、を備えている。第１基板ＳＵＢ１及び第２基板ＳＵＢ２は、可撓性を有する材料によって形成されている。このため、表示装置ＤＳＰは、第１方向Ｘに沿った曲げ線ＢＬ１及びＢＬ２に沿って曲げることができる。あるいは、表示装置ＤＳＰは、第２方向Ｙに沿った曲げ線ＢＬ３及びＢＬ４に沿って曲げることができる。  
曲げ線ＢＬ１乃至ＢＬ４は、それぞれ表示領域ＤＡと辺Ｅ１乃至Ｅ４との間に位置している。曲げ線ＢＬ１乃至ＢＬ４は、いずれも直線状に延出している。図示した例では、曲げ線ＢＬ１乃至ＢＬ４は、それぞれ表示領域ＤＡと非表示領域ＮＤＡとの境界Ｂ１乃至Ｂ４に位置している。境界Ｂ１及びＢ２は第１方向Ｘに沿った直線部に相当し、境界Ｂ３及びＢ４は第２方向Ｙに沿った直線部に相当する。
【００１２】
図２は、図１のＡ−Ｂ線で切断した表示装置ＤＳＰを示す断面図である。表示装置ＤＳＰは、図１に示した表示パネルＰＮＬに加えて、第１光学フィルムＯＦ１と、第２光学フィルムＯＦ２と、表示パネルＰＮＬと第１光学フィルムＯＦ１との間に介在する接着層ＡＤ１と、表示パネルＰＮＬと第２光学フィルムＯＦ２との間に介在する接着層ＡＤ２と、照明装置ＩＬと、を備えている。  
第１光学フィルムＯＦ１は、第１偏光層ＰＬ１を含み、接着層ＡＤ１により第１基板ＳＵＢ１に接着されている。第２光学フィルムＯＦ２は、第２偏光層ＰＬ２を含み、接着層ＡＤ２により第２基板ＳＵＢ２に接着されている。第１光学フィルムＯＦ１及び第２光学フィルムＯＦ２は、表示領域ＤＡのみならず、非表示領域ＮＤＡにも配置されている。図示した例では、第１光学フィルムＯＦ１及び第２光学フィルムＯＦ２は、辺Ｅ３及びＥ４まで延出している。これらの第１光学フィルムＯＦ１及び第２光学フィルムＯＦ２は、後述するが、一対の支持体の間に偏光層を挟持した基本構造を有するが、位相差層等の他の光学機能層を含んでいてもよい。
【００１３】
遮光層ＬＳは、辺Ｅ３と境界Ｂ３との間、及び、辺Ｅ４と境界Ｂ４との間にそれぞれ配置されている。シールＳＬは、非表示領域ＮＤＡにおいて、辺Ｅ３及びＥ４のそれぞれに近接する側に配置されている。液晶層ＬＣは、シールＳＬの内側において第１基板ＳＵＢ１と第２基板ＳＵＢ２との間に保持されている。液晶層ＬＣは、非表示領域ＮＤＡにおいて、遮光層ＬＳと第１基板ＳＵＢ１との間にも介在している。
【００１４】
照明装置ＩＬは、第１光学フィルムＯＦ１の下側に位置し、表示パネルＰＮＬを照明する。照明装置ＩＬは、少なくとも表示領域ＤＡに配置され、非表示領域ＮＤＡに配置されていてもよい。照明装置ＩＬは、第１光学フィルムＯＦ１と接着されていてもよい。
【００１５】
図３は、曲げ線ＢＬ１及びＢＬ２に沿って表示装置ＤＳＰを曲げた状態を説明するための図である。図の左側の平面図は、曲げる前の表示装置ＤＳＰを示している。表示装置ＤＳＰは、非表示領域として、第１方向Ｘに沿って延出した非表示領域ＮＤＡ１及びＮＤＡ２を備えている。非表示領域ＮＤＡ１は、辺Ｅ１と表示領域ＤＡとの間に位置し、第２方向Ｙに沿った額縁幅Ｗ１を有している。非表示領域ＮＤＡ２は、辺Ｅ２と表示領域ＤＡとの間に位置し、第２方向Ｙに沿った額縁幅Ｗ２を有している。  
図の右側の平面図は、曲げ線ＢＬ１及びＢＬ２に沿って曲げた表示装置ＤＳＰを示している。図示した表示装置ＤＳＰは、左側の平面図に示した辺Ｅ１及びＥ２が表示領域ＤＡに対して下側に位置するように曲げられている。平面視で、非表示領域ＮＤＡ１は、第２方向Ｙに沿って額縁幅Ｗ１より小さい額縁幅Ｗ１１を有している。同様に、非表示領域ＮＤＡ２は、第２方向Ｙに沿って額縁幅Ｗ２より小さい額縁幅Ｗ１２を有している。したがって、このように曲げた表示装置ＤＳＰでは、曲げる前と比較して、狭額縁化が可能となる。
【００１６】
図４は、曲げ線ＢＬ３及びＢＬ４に沿って表示装置ＤＳＰを曲げた状態を説明するための図である。図の左側の平面図は、曲げる前の表示装置ＤＳＰを示している。表示装置ＤＳＰは、非表示領域として、第２方向Ｙに沿って延出した非表示領域ＮＤＡ３及びＮＤＡ４を備えている。非表示領域ＮＤＡ３は、辺Ｅ３と表示領域ＤＡとの間に位置し、第１方向Ｘに沿った額縁幅Ｗ３を有している。非表示領域ＮＤＡ４は、辺Ｅ４と表示領域ＤＡとの間に位置し、第１方向Ｘに沿った額縁幅Ｗ４を有している。  
図の右側の平面図は、曲げ線ＢＬ３及びＢＬ４に沿って曲げた表示装置ＤＳＰを示している。図示した表示装置ＤＳＰは、左側の平面図に示した辺Ｅ３及びＥ４が表示領域ＤＡに対して下側に位置するように曲げられている。平面視で、非表示領域ＮＤＡ３は、第１方向Ｘに沿って額縁幅Ｗ３より小さい額縁幅Ｗ１３を有している。同様に、非表示領域ＮＤＡ４は、第１方向Ｘに沿って額縁幅Ｗ４より小さい額縁幅Ｗ１４を有している。したがって、このように曲げた表示装置ＤＳＰでは、曲げる前と比較して、狭額縁化が可能となる。
【００１７】
次に、上記の曲げ線ＢＬ１乃至ＢＬ４のいずれかに沿って曲げた表示装置ＤＳＰについて説明する。一例として、表示装置ＤＳＰが曲げ線ＢＬ１に沿って曲げられた構成例について説明するが、他の曲げ線に沿って曲げられた場合も同様である。
【００１８】
図５は、曲げ線ＢＬ１に沿って曲げた表示装置ＤＳＰを示す斜視図である。表示パネルＰＮＬは、第１平坦部ＦＬ１と、曲げ部ＢＤと、第２平坦部ＦＬ２と、を備えている。曲げ部ＢＤは第１平坦部ＦＬ１に隣接し、第２平坦部ＦＬ２は曲げ部ＢＤに隣接している。曲げ部ＢＤで曲げた表示装置ＤＳＰにおいては、第１平坦部ＦＬ１と第２平坦部ＦＬ２とが第３方向Ｚに対向し、第１平坦部ＦＬ１が第２平坦部ＦＬ２の上側に位置している。  
曲げ部ＢＤにおいては、第１基板ＳＵＢ１が内周側に位置し、第２基板ＳＵＢ２が外周側に位置している。第１基板ＳＵＢ１の下面１Ａは曲げ部ＢＤの内周面に相当し、第２基板ＳＵＢ２の上面２Ａは曲げ部ＢＤの外周面に相当する。下面１Ａ及び上面２Ａは、いずれも曲面であり、図示した例ではいずれも円筒面である。下面１Ａの曲率半径は、上面２Ａの曲率半径より小さい。曲げ部ＢＤは、円筒状に形成されており、その母線ＧＮは、曲げ線ＢＬ１に沿っている。母線ＧＮ及び曲げ線ＢＬ１は、いずれも第１方向Ｘに沿っている。
【００１９】
第１光学フィルムＯＦ１は、第１平坦部ＦＬ１及び第２平坦部ＦＬ２において第１基板ＳＵＢ１にそれぞれ接着されている。また、第１光学フィルムＯＦ１は、曲げ部ＢＤと重畳する溝ＧＲ１を備えている。図示した例では、溝ＧＲ１は、第１光学フィルムＯＦ１を貫通している。従って、曲げ部ＢＤにおいて表示装置ＤＳＰの厚みは、第１平坦部ＦＬ１に対して、第１光学フィルムＯＦ１の厚さ分薄くなっている。第１光学フィルムＯＦ１は、図中に点線で示したように、曲げ部ＢＤの内周側には配置されていない。つまり、溝ＧＲ１は、曲げ部ＢＤの内周側に位置している。第２光学フィルムＯＦ２は、第１平坦部ＦＬ１及び第２平坦部ＦＬ２において第２基板ＳＵＢ２にそれぞれ接着されている。また、第２光学フィルムＯＦ２は、曲げ部ＢＤと重畳する溝ＧＲ２を備えている。図示した例では、溝ＧＲ２は、第２光学フィルムＯＦ２を貫通している。従って、曲げ部ＢＤにおいて表示装置ＤＳＰの厚みは、表示パネルＰＮＬの厚みと同じになっている。第２光学フィルムＯＦ２は、図中に点線で示したように、曲げ部ＢＤの外周側には配置されていない。つまり、溝ＧＲ２は、曲げ部ＢＤの外周側に位置している。溝ＧＲ１及び溝ＧＲ２は、曲げ線ＢＬ１あるいは母線ＧＮに沿って形成されている。
【００２０】
照明装置ＩＬは、第１平坦部ＦＬ１と第２平坦部ＦＬ２との間に位置している。図示した例では、第１平坦部ＦＬ１及び第２平坦部ＦＬ２と、照明装置ＩＬとの間には、それぞれ第１光学フィルムＯＦ１が介在している。第１光学フィルムＯＦ１は、照明装置ＩＬの上面ＩＬＡ及び下面ＩＬＢにそれぞれ接着されていてもよい。照明装置ＩＬの側面ＩＬＳは、溝ＧＲ１を介して表示パネルＰＮＬと対向している。第１基板ＳＵＢ１の下面１Ａは、側面ＩＬＳに接していてもよい。
【００２１】
曲げ線ＢＬ１が図１に示した境界Ｂ１に一致していた場合、曲げ部ＢＤは、図３に示した非表示領域ＮＤＡ１に位置する。非表示領域ＮＤＡ１の額縁幅Ｗ１１は、境界Ｂ１と、第１平坦部ＦＬ１から最も離れた上面（外周面）２Ａとの間の第２方向Ｙに沿った長さに相当する。このような額縁幅Ｗ１１は、第１光学フィルムＯＦ１の厚さＴ１と、第２光学フィルムＯＦ２の厚さＴ２と、表示パネルＰＮＬの厚さＴ３との総和よりも小さい。また、曲げ部ＢＤには第１光学フィルムＯＦ１の溝ＧＲ１が重畳するため、下面（内周面）１Ａは、溝ＧＲ１を介して照明装置ＩＬの側面ＩＬＳに接近させることができる。下面１Ａと側面ＩＬＳとの第２方向Ｙに沿った距離が第１光学フィルムＯＦ１の厚さＴ１より小さい場合には、額縁幅Ｗ１１は、第１光学フィルムＯＦ１の厚さＴ１と、表示パネルＰＮＬの厚さＴ３との総和よりも小さい。下面１Ａがと側面ＩＬＳとが接触している場合には、額縁幅Ｗ１１は、表示パネルＰＮＬの厚さＴ３と同等となる。  
また、表示パネルＰＮＬよりも高い剛性を有する第１光学フィルムＯＦ１及び第２光学フィルムＯＦ２は、表示パネルＰＮＬの曲げ部ＢＤと重畳する溝ＧＲ１及びＧＲ２を備えているため、容易に表示パネルＰＮＬを曲げることができる。また、表示パネルＰＮＬをより小さい曲率半径で曲げることが可能となる。  
したがって、表示装置ＤＳＰの狭額縁化が可能となる。
【００２２】
次に、表示装置ＤＳＰを曲げる際に好適な第１光学フィルムＯＦ１及び第２光学フィルムＯＦ２について説明する。
【００２３】
図６は、図３に示した曲げ線ＢＬ１及びＢＬ２に沿って表示装置ＤＳＰを曲げる際に適用可能な第１光学フィルムＯＦ１及び第２光学フィルムＯＦ２を示す図である。第１光学フィルムＯＦ１は、互いに対向するエッジＥ１３及びＥ１４を備えている。溝ＧＲ１は、第１方向Ｘに沿って延出し、エッジＥ１３からエッジＥ１４まで連続的に形成されている。第２光学フィルムＯＦ２も同様に、互いに対向するエッジＥ２３及びＥ２４を備えている。溝ＧＲ２は、第１方向Ｘに沿って延出し、エッジＥ２３からエッジＥ２４まで連続的に形成されている。溝ＧＲ１及びＧＲ２は、図３に示した非表示領域ＮＤＡ１及びＮＤＡ２に位置し、直線状に形成されている。図６に示した例では、エッジＥ２３が第１エッジに相当し、エッジＥ２４が第２エッジに相当する。
【００２４】
図７は、図４に示した曲げ線ＢＬ３及びＢＬ４に沿って表示装置ＤＳＰを曲げる際に適用可能な第１光学フィルムＯＦ１及び第２光学フィルムＯＦ２を示す図である。第１光学フィルムＯＦ１は、互いに対向するエッジＥ１１及びＥ１２を備えている。溝ＧＲ１は、第２方向Ｙに沿って延出し、エッジＥ１１からエッジＥ１２まで連続的に形成されている。第２光学フィルムＯＦ２も同様に、互いに対向するエッジＥ２１及びＥ２２を備えている。溝ＧＲ２は、第２方向Ｙに沿って延出し、エッジＥ２１からエッジＥ２２まで連続的に形成されている。溝ＧＲ１及びＧＲ２は、図４に示した非表示領域ＮＤＡ３及びＮＤＡ４に位置し、直線状に形成されている。図７に示した例では、エッジＥ２１が第１エッジに相当し、エッジＥ２２が第２エッジに相当する。
【００２５】
次に、表示装置ＤＳＰの他の構成例について説明する。以下に説明する他の構成例では、図５に示した構成例と同様に、曲げ線ＢＬ１に沿って曲げた表示装置ＤＳＰについて説明する。
【００２６】
図８は、表示装置ＤＳＰの他の構成例を示す断面図である。図８に示した構成例は、図５に示した構成例と比較して、表示パネルＰＮＬが第１乃至第３平坦部ＦＬ１乃至ＦＬ３と、第１乃至第２曲げ部ＢＤ１乃至ＢＤ２とを備えた点で相違している。第１曲げ部ＢＤ１は第１平坦部ＦＬ１と第２平坦部ＦＬ２との間に位置し、第２曲げ部ＢＤ２は第２平坦部ＦＬ２と第３平坦部ＦＬ３との間に位置している。第１乃至第２曲げ部ＢＤ１乃至ＢＤ２で曲げた表示装置ＤＳＰにおいては、第１平坦部ＦＬ１と第３平坦部ＦＬ３とが第３方向Ｚに対向し、第１平坦部ＦＬ１が第３平坦部ＦＬ３の上側に位置している。  
第１光学フィルムＯＦ１は、第１乃至第３平坦部ＦＬ１乃至ＦＬ３において第１基板ＳＵＢ１にそれぞれ接着されている。また、第１光学フィルムＯＦ１は、第１乃至第２曲げ部ＢＤ１乃至ＢＤ２とそれぞれ重畳する溝ＧＲ１を備えている。第２光学フィルムＯＦ２も同様に、第１乃至第３平坦部ＦＬ１乃至ＦＬ３において第２基板ＳＵＢ２にそれぞれ接着されている。また、第２光学フィルムＯＦ２は、第１乃至第２曲げ部ＢＤ１乃至ＢＤ２とそれぞれ重畳する溝ＧＲ２を備えている。なお、第２平坦部ＦＬ２においては、第１光学フィルムＯＦ１及び第２光学フィルムＯＦ２の少なくとも一方が接着されていればよい。  
照明装置ＩＬは、第１平坦部ＦＬ１と第３平坦部ＦＬ３との間に位置している。第１平坦部ＦＬ１及び第３平坦部ＦＬ３と、照明装置ＩＬとの間には、それぞれ第１光学フィルムＯＦ１が介在している。照明装置ＩＬの側面ＩＬＳは、第１光学フィルムＯＦ１を介して第２平坦部ＦＬ２と対向している。  
このような構成例においても、上記の構成例と同様の効果が得られる。加えて、第２平坦部ＦＬ２において、第１光学フィルムＯＦ１及び第２光学フィルムＯＦ２の少なくとも一方が接着されるため、表示パネルＰＮＬを補強することが可能となる。
【００２７】
図９は、表示装置ＤＳＰの他の構成例を示す断面図である。図９に示した構成例は、図８に示した構成例と比較して、第１光学フィルムＯＦ１及び第２光学フィルムＯＦ２が第１乃至第２曲げ部ＢＤ１乃至ＢＤ２において部分的に接着された点で相違している。つまり、溝ＧＲ１及びＧＲ２は、第１乃至第２曲げ部ＢＤ１乃至ＢＤ２の一部に重畳している。より具体的には、第１光学フィルムＯＦ１は、第１曲げ部ＢＤ１の一部にも接着され、第１曲げ部ＢＤ１と重畳する複数の溝ＧＲ１を備えている。また、第１光学フィルムＯＦ１は、第１曲げ部ＢＤ１の一部にも接着され、第２曲げ部ＢＤ２に重畳する複数の溝ＧＲ１を備えている。第２光学フィルムＯＦ２も同様に、第１曲げ部ＢＤ１及び第２曲げ部ＢＤ２にそれぞれ重畳する複数の溝ＧＲ２を備えている。  
このような構成例においても、上記の構成例と同様の効果が得られる。加えて、第１乃至第２曲げ部ＢＤ１乃至ＢＤ２において、第１光学フィルムＯＦ１及び第２光学フィルムＯＦ２の少なくとも一方が接着されるため、表示パネルＰＮＬを補強することが可能となる。
【００２８】
図１０は、表示装置ＤＳＰの他の構成例を示す断面図である。図１０に示した構成例は、図５に示した構成例と比較して、第１平坦部ＦＬ１及び第２平坦部ＦＬ２にそれぞれ重畳する第１光学フィルムＯＦ１が照明装置ＩＬを介さずに第３方向Ｚに対向している点で相違している。照明装置ＩＬと、第１光学フィルムＯＦ１のエッジＥ１１とは、第２方向Ｙに対向している。溝ＧＲ１及びＧＲ２は、曲げ部ＢＤの全体に亘って重畳している。図示した例では、１箇所の曲げ部ＢＤに対して、１つの溝ＧＲ１が設けられ、また、１つの溝ＧＲ２が設けられている。  
このような構成例においても、上記の構成例と同様の効果が得られる。加えて、図５に示した構成例と比較して、表示装置ＤＳＰの第３方向Ｚに沿った厚さを薄くすることができる。
【００２９】
図１１は、表示装置ＤＳＰの他の構成例を示す断面図である。図１１に示した構成例は、図９に示した構成例と比較して、第１平坦部ＦＬ１及び第２平坦部ＦＬ２にそれぞれ重畳する第１光学フィルムＯＦ１が照明装置ＩＬを介さずに第３方向Ｚに対向している点で相違している。照明装置ＩＬと、第１光学フィルムＯＦ１のエッジＥ１１とは、第２方向Ｙに対向している。溝ＧＲ１及びＧＲ２は、曲げ部ＢＤの一部において重畳している。図示した例では、１箇所の曲げ部ＢＤに対して、複数の溝ＧＲ１が設けられ、また、複数の溝ＧＲ２が設けられている。  
このような構成例においても、上記の構成例と同様の効果が得られる。加えて、図９に示した構成例と比較して、表示装置ＤＳＰの第３方向Ｚに沿った厚さを薄くすることができる。
【００３０】
次に、表示装置ＤＳＰの一例である液晶表示装置についてより具体的に説明する。  
図１２は、表示装置ＤＳＰの構成を示す図である。表示装置ＤＳＰは、表示領域ＤＡにおいて、複数の画素ＰＸと、複数本の走査線Ｇ（Ｇ１〜Ｇｎ）と、複数本の信号線Ｓ（Ｓ１〜Ｓｍ）と、共通電極ＣＥと、を備えている。複数の画素ＰＸは、マトリクス状に配置されている。走査線Ｇの各々は、第１方向Ｘに沿って延出し、走査線駆動回路ＧＤに接続されている。信号線Ｓの各々は、第２方向Ｙに沿って延出し、信号線駆動回路ＳＤに接続されている。共通電極ＣＥは、複数の画素ＰＸに亘って配置され、共通電極駆動回路ＣＤに接続されている。  
各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。画素電極ＰＥは、スイッチング素子ＳＷと電気的に接続されている。各画素ＰＸの画素電極ＰＥは、それぞれ共通電極ＣＥと対向している。液晶層ＬＣは、画素電極ＰＥと共通電極ＣＥとの間に生じる電界によって駆動される。保持容量ＣＳは、例えば、共通電極ＣＥと同電位の電極、及び、画素電極ＰＥと同電位の電極の間に形成される。
【００３１】
なお、ここでは画素ＰＸの詳細な構成についての説明を省略するが、画素ＰＸは、基板主面の法線に沿った縦電界を利用する表示モード、基板主面に対して斜め方向に傾斜した傾斜電界を利用する表示モード、基板主面に沿った横電界を利用する表示モード、さらには、上記の縦電界、横電界、及び、傾斜電界を適宜組み合わせて利用する表示モードのいずれも適用可能である。ここでの基板主面とは、第１方向Ｘ及び第２方向Ｙで規定されるＸ−Ｙ平面と平行な面である。
【００３２】
図１３は、画素ＰＸの構成例を示す断面図である。図示した画素ＰＸの構成例は、横電界を利用する表示モードが適用された例に相当する。
【００３３】
第１基板ＳＵＢ１は、絶縁基板１０、絶縁層１１乃至１５、下側遮光層ＵＳ、半導体層ＳＣ、スイッチング素子ＳＷ、共通電極ＣＥ、画素電極ＰＥ、及び、配向膜ＡＬ１を備えている。絶縁基板１０は、ポリイミドなどの樹脂材料によって形成され、可撓性及び光透過性を有する基板である。下側遮光層ＵＳは、絶縁基板１０の上に位置し、絶縁層１１によって覆われている。半導体層ＳＣは、絶縁層１１の上に位置し、絶縁層１２によって覆われている。半導体層ＳＣは、例えば、多結晶シリコンによって形成されているが、アモルファスシリコンや酸化物半導体によって形成されていてもよい。  
スイッチング素子ＳＷにおいて、ゲート電極ＧＥ１及びＧＥ２は、絶縁層１２の上に位置し、絶縁層１３によって覆われている。ゲート電極ＧＥ１及びＧＥ２は、図１２に示したいずれかの走査線Ｇと電気的に接続されている。ソース電極ＳＥ及びドレイン電極ＤＥは、絶縁層１３の上に位置し、絶縁層１４によって覆われている。ソース電極ＳＥは、図１２に示したいずれかの信号線Ｓと電気的に接続されている。ソース電極ＳＥは、絶縁層１２及び１３を貫通するコンタクトホールＣＨ１を介して半導体層ＳＣにコンタクトしている。ドレイン電極ＤＥは、絶縁層１２及び１３を貫通するコンタクトホールＣＨ２を介して半導体層ＳＣにコンタクトしている。  
共通電極ＣＥは、絶縁層１４の上に位置し、絶縁層１５によって覆われている。画素電極ＰＥは、絶縁層１５の上に位置し、配向膜ＡＬ１によって覆われている。画素電極ＰＥの一部は、絶縁層１５を介して共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。画素電極ＰＥは、共通電極ＣＥの開口部ＡＰと重畳する位置において、絶縁層１４及び１５を貫通するコンタクトホールＣＨ３を介してドレイン電極ＤＥにコンタクトしている。なお、絶縁層１１乃至１３、及び、絶縁層１５は、例えばシリコン酸化物、シリコン窒化物、シリコン酸窒化物などの無機絶縁層であり、単層構造であってもよいし、多層構造であってもよい。絶縁層１４は、例えばアクリル樹脂などの有機絶縁層である。
【００３４】
第２基板ＳＵＢ２は、絶縁基板２０、遮光層ＢＭ、カラーフィルタ層ＣＦ、オーバーコート層ＯＣ、及び、配向膜ＡＬ２を備えている。絶縁基板２０は、ポリイミドなどの樹脂材料によって形成され、可撓性及び光透過性を有する基板である。遮光層ＢＭ及びカラーフィルタ層ＣＦは、絶縁基板２０の第１基板ＳＵＢ１と対向する側に位置している。遮光層ＢＭは、図１などに示した遮光層ＬＳと同一材料を用いて一括して形成可能である。遮光層ＢＭは、信号線Ｓや走査線Ｇやスイッチング素子ＳＷなどの配線部とそれぞれ対向する位置に配置されている。カラーフィルタ層ＣＦは、画素電極ＰＥと対向する位置に配置され、その一部が遮光層ＢＭに重なっている。オーバーコート層ＯＣは、カラーフィルタ層ＣＦを覆っている。配向膜ＡＬ２は、オーバーコート層ＯＣを覆っている。
【００３５】
液晶層ＬＣは、第１基板ＳＵＢ１及び第２基板ＳＵＢ２の間に位置し、配向膜ＡＬ１と配向膜ＡＬ２との間に保持されている。液晶層ＬＣは、液晶分子を含んでいる。このような液晶層ＬＣは、ポジ型（誘電率異方性が正）の液晶材料、あるいは、ネガ型（誘電率異方性が負）の液晶材料によって構成されている。
【００３６】
次に、溝ＧＲ１及びＧＲ２の形成例について説明する。  
図１４は、表示パネルＰＮＬとともに第１光学フィルムＯＦ１及び第２光学フィルムＯＦ２を９０°曲げた状態を示す断面図である。ここでは、第１光学フィルムＯＦ１の厚さＴ１及び第２光学フィルムＯＦ２の厚さＴ２が等しく、曲げの中線ＭＬが表示パネルＰＮＬにあるものとして説明する。中線ＭＬの曲率半径をＲとしたとき、中線ＭＬの長さは、「２πＲ／４」となる。一方、第１光学フィルムＯＦ１の内周側の長さは、「２π（Ｒ−Ｔ１）／４」となる。このため、中線ＭＬと第１光学フィルムＯＦ１との差分は、「（π＊Ｔ１）／２」となる。つまり、表示パネルＰＮＬとともに９０°曲げた状態の第１光学フィルムＯＦ１では、「（π＊Ｔ１）／２」の長さが余ることになる。このため、第１光学フィルムＯＦ１において、「（π＊Ｔ１）／２」以上の幅を有する溝ＧＲ１を形成することにより、表示パネルＰＮＬの９０°曲げが容易となる。同様に、表示パネルＰＮＬを１８０°曲げた状態では、第１光学フィルムＯＦ１は、「（π＊Ｔ１）」の長さが余ることになる。このため、「（π＊Ｔ１）」以上の幅を有する溝ＧＲ１を形成することにより、表示パネルＰＮＬの１８０°曲げが容易となる。  
一例では、曲率半径Ｒが２００μｍである場合、中線ＭＬの長さ「２πＲ／４」は、３１４μｍとなる。また、第１光学フィルムＯＦ１の厚さＴ１が１００μｍである場合、「（π＊Ｔ１）／２」は、約１５７μｍである。このため、表示パネルＰＮＬを９０°曲げる場合には、第１光学フィルムＯＦ１における溝ＧＲ１の幅は、１５７μｍ以上とすることが望ましい。
【００３７】
また、第２光学フィルムＯＦ２の外周側の長さは、「２π（Ｒ＋Ｔ２）／４」となる。このため、第２光学フィルムＯＦ２と中線ＭＬとの差分は、「（π＊Ｔ２）／２」となる。つまり、表示パネルＰＮＬとともに９０°曲げた状態の第２光学フィルムＯＦ２では、「（π＊Ｔ２）／２」の長さが不足することになる。このため、第２光学フィルムＯＦ２において、「（π＊Ｔ２）／２」以上の幅を有する溝ＧＲ２を形成することにより、表示パネルＰＮＬの９０°曲げが容易となる。同様に、表示パネルＰＮＬを１８０°曲げた状態では、第２光学フィルムＯＦ２は、「（π＊Ｔ２）」の長さが不足することになる。このため、「（π＊Ｔ２）」以上の幅を有する溝ＧＲ２を形成することにより、表示パネルＰＮＬの１８０°曲げが容易となる。  
一例では、第２光学フィルムＯＦ２の厚さＴ２が１００μｍである場合、「（π＊Ｔ２）／２」は、約１５７μｍである。このため、表示パネルＰＮＬを９０°曲げる場合には、第２光学フィルムＯＦ２における溝ＧＲ２の幅は、１５７μｍ以上とすることが望ましい。
【００３８】
図１５は、溝ＧＲ１の形成例を示す断面図である。図示した形成例は、図９に示したように、９０°曲げた状態の第１曲げ部ＢＤ１において２つの溝ＧＲ１が重畳する例に相当する。２つの溝ＧＲ１は、同等の幅Ｗ２０を有している。第１曲げ部ＢＤ１の幅は、図１４を参照して説明した中線ＭＬの長さに相当し、例えば３１４μｍである。溝ＧＲ１の幅Ｗ２０は、７８．５μｍであり、２つの溝ＧＲ１の幅Ｗ２０の総和は、１５７μｍである。図示した例では、一方の溝ＧＲ１は第１平坦部ＦＬ１と第１曲げ部ＢＤ１との境界から幅Ｗ２０を有し、また、他方の溝ＧＲ１は第１曲げ部ＢＤ１と第２平坦部ＦＬ２との境界から幅Ｗ２０を有している。２つの溝ＧＲ１の間に位置する第１光学フィルムＯＦ１の幅Ｗ２１は、１５７μｍである。
なお、溝ＧＲ１の深さは、後述するように第１光学フィルムＯＦ１を貫通する場合に第１光学フィルムＯＦ１の厚さ相当となることもあれば、第１光学フィルムＯＦ１を特定の厚さ分だけ残した深さとすることもできる。図１５では第１平坦部ＦＬ２よりも薄い一定の厚さで、第１光学フィルムＯＦ１を残した場合を図示している。第１光学フィルムＯＦ１を残す厚さは、すべての位置で一定とすることも可能であるし、位置に従って変化させることも可能である。
【００３９】
図１６は、溝ＧＲ１の他の形成例を示す断面図である。図１６に示した形成例は、図１５に示した形成例と比較して、第１曲げ部ＢＤ１において３つの溝ＧＲ１が重畳する点で相違している。これらの３つの溝ＧＲ１は、等間隔に形成されている。幅Ｗ２０は、５２μｍである。
【００４０】
図１７は、溝ＧＲ１及びＲ２の形成例を示す断面図である。図１７に示した形成例は、図１６に示した形成例と比較して、第１曲げ部ＢＤ１において２つの溝ＧＲ２が重畳する点で相違している。２つの溝ＧＲ２は、同等の幅Ｗ３０を有している。溝ＧＲ２の幅Ｗ３０は、７８．５μｍであり、２つの溝ＧＲ２の幅Ｗ３０の総和は、１５７μｍである。溝ＧＲ２は、溝ＧＲ１の直上に重畳しない位置に形成されている。第１曲げ部ＢＤ１の変形を抑制する観点では、溝ＧＲ１及びＧＲ２が重畳しないことが望ましい。
【００４１】
なお、図１５乃至図１７に示した各形成例において、複数の溝ＧＲ１の各々の幅Ｗ２０は必ずしもすべて同一である必要はなく、１つの曲げ部に対して幅Ｗ２０の総和が「（π＊Ｔ１）／２」以上となることが望ましい。同様に、複数の溝ＧＲ２の各々の幅Ｗ３０は必ずしもすべて同一である必要はなく、１つの曲げ部に対して幅Ｗ３０の総和が「（π＊Ｔ２）／２」以上となることが望ましい。
図１８乃至図２１は、溝ＧＲ及び溝ＧＲ２の他の形成例を示す断面図である。図１８に示した形成例では、曲げ部ＢＤ１において表示パネルＰＮＬは、９０°曲げられ第２平坦部ＦＬ２で、照明装置ＩＬ等に対向する場合を示している。なお、表示パネルＰＮＬを１８０°曲げる場合には、図８に示すように、さらに、曲げ部ＢＤ２において９０°曲げられ、第３平坦部ＦＬ３が照明装置ＩＬの底面に対向し、且つ第１平坦部ＦＬ１に対向するよう形成される。
溝ＧＲ１は曲げ部ＢＤ１の全幅Ｗ５０にわたり形成されており、溝ＧＲ２は第１平坦部ＦＬ１と曲げ部ＢＤ１との境界（曲げ開始点）から幅Ｗ６０を有する第２光学フィルムＯＦ２を残して、残りの曲げ部ＢＤにおいて幅Ｗ４０を有するように形成されている。第２光学フィルムＯＦ２の曲げ開始点からの幅Ｗ６０は、第２光学フィルムＯＦ２及び第１光学フィルムＯＦ１を貼り付ける際の合わせ精度を考慮し設定している。合わせ精度を考慮しなければ、幅Ｗ６０を０として、第２光学フィルムＯＦ２も曲げ部ＢＤの全幅Ｗ５０にわたり溝ＧＲ２を形成することも可能である。
なお、第１光学フィルムＯＦ１と２光学フィルムＯＦ２の第１平坦部ＦＬ１での厚さをそれぞれ１００μｍとして、曲げ部ＢＤ１において表示パネルを９０°曲げる場合には、溝ＧＲ１の幅Ｗ５０は３１４μｍとなり、幅Ｗ６０を４０μｍとすると、溝ＧＲ２の幅Ｗ４０は２７４μｍとなる。第２平坦部ＦＬ２の幅Ｗ４２は、照明装置ＩＬ等の厚みによるが、図１８では１２０μｍである。
なお、曲げ部ＢＤ１において幅Ｗ４０で第２光学フィルムＯＦ２を除去して、第２基板ＳＵＢ２が露出する構成とし、第２平坦部ＦＬ２において幅Ｗ４２で第２光学フィルムＯＦ２を除去して、第２基板ＳＵＢ２が露出する構成とすることも可能である。
第１光学フィルムＯＦ１を曲げ部ＢＤ１において、全幅Ｗ５０で厚さを薄くし、第２光学フィルムＯＦ２を、曲げ開始点を残して幅Ｗ４０で厚さを薄くすることで、第１平坦部ＦＬ１を平面視した場合に、曲げ部ＢＤ１の厚さは表示パネルＰＮＬの厚さとなっており、従来構造に対して表示パネルＰＮＬの周辺領域の幅を大幅に狭くすることが可能である。
図１９に示した形成例では、第１平坦部ＦＬ１と曲げ部ＢＤ１との境界から第１平坦部ＦＬ１側に溝ＧＲ３が形成されている。溝ＧＲ３は曲げ開始点の直前で第２光学フィルムＯＦ２の厚さが薄くなることで、曲がるきっかけとして作用する。
図１９においても、溝ＧＲ１は曲げ部ＢＤ１の全幅Ｗ５０にわたり形成されており、溝ＧＲ２は第１平坦部ＦＬ１と曲げ部ＢＤ１との境界（曲げ開始点）から幅Ｗ６０を有する第２光学フィルムＯＦ２を残して、残りの曲げ部ＢＤ１において幅Ｗ４０を有するように形成されている。なお、溝ＧＲ３の幅Ｗ７０は４０μｍである。
図１９に記載の溝ＧＲ３は、表示パネルＰＮＬが曲がるきっかけとして形成されているため、溝ＧＲ２の深さと溝ＧＲ３の深さとを同じにする必要はないが、図１９では溝ＧＲ３と溝ＧＲ２において第２光学フィルムＯＦ２の厚さは同じに形成されている。
図２０に示した形成例では、曲げ部ＢＤ１において溝ＧＲ１は、部分的に３か所、幅Ｗ２２を有するように形成されている。図１８に示した形成例と同じ幅Ｗ５０を有する第１光学フィルムＯＦ１と第２光学フィルムＯＦ２を適用した場合に、溝ＧＲ１を３か所形成する場合の溝ＧＲ１の幅Ｗ２２は５２μｍである。なお、溝ＧＲ１を２か所形成する場合の溝ＧＲ１の幅Ｗ２２は７８．５μｍである。曲げ部ＢＤ１の境界（曲げ開始点）から幅Ｗ６０を有する第２光学フィルムＯＦ２を残して、残りの曲げ部ＢＤ１において幅Ｗ４０を有する溝ＧＲ２を形成することで、表示パネルＰＮＬの周辺領域の幅を狭くすることが可能となっていることに加えて、曲げ部ＢＤ１の第１光学フィルムＯＦ１の一部を残すことで、曲げ部ＢＤ１の強度を維持している。
図２１に示した形成例では、第２光学フィルムＯＦ２に形成した溝ＧＲ２に、第２光学フィルムＯＰ２よりも弾性率の低い樹脂（例えばシリコーン樹脂等）ＲＳを充填している。溝ＧＲ２に樹脂を充填しない場合に比較して、表示パネルＰＮＬの周辺領域の幅は厚くなるが、曲げ部ＢＤの強度は向上する。なお、溝ＧＲ１にも樹脂ＲＳを充填することが可能である。
【００４２】
図２２は、溝ＧＲ１の形状例を示す図である。第１光学フィルムＯＦ１は、一対の支持体ＳＰ１及びＳＰ２と、偏光層ＰＬ１と、を備えている。支持体ＳＰ１及びＳＰ２は、例えばトリアセチルセルロース（ＴＡＣ）、シクロオレフィンポリマー（ＣＯＰ）などによって形成されている。偏光層ＰＬ１は、例えばポリビニルアルコール（ＰＶＡ）によって形成されている。偏光層ＰＬ１は、支持体ＳＰ１及びＳＰ２によって挟持されている。支持体ＳＰ２は、接着層ＡＤ１によって絶縁基板１０に接着されている。  
図示した溝ＧＲ１Ａは、第１光学フィルムＯＦ１を貫通し、接着層ＡＤ１を露出している。つまり、溝ＧＲ１Ａの深さＤ１は、第１光学フィルムＯＦ１の厚さＴ１より大きく、厚さＴ１と接着層ＡＤ１の厚さＴ４との総和より小さい。
【００４３】
溝ＧＲ１Ａは、支持体ＳＰ１側からレーザー光を照射することで形成される。レーザー光を出射するレーザー装置としては、赤外線波長のレーザー光を出射する炭酸ガスレーザーや、紫外線波長のレーザー光を出力する固体レーザーなどが適用可能である。第１光学フィルムＯＦ１の除去量は、複数回に分けてレーザー光を照射したり、レーザー光のパワーを制御したりすることで、数μｍ〜１０μｍの範囲で調整可能である。例えば、接着層ＡＤ１は、２０μｍの厚さを有している。このため、溝ＧＲ１Ａの端部が接着層ＡＤ１に位置するような、所望の深さＤ１を有する溝ＧＲ１Ａを形成することができる。
【００４４】
支持体ＳＰ１及びＳＰ２、及び、偏光層ＰＬ１は、接着層ＡＤ１と比較して、高いヤング率を有する材料によって形成されている。このため、溝ＧＲ１Ａが第１光学フィルムＯＦ１を貫通することで、図示した第１基板ＳＵＢ１を含む表示パネルＰＮＬの曲げが容易となる。
【００４５】
図示した溝ＧＲ１Ｂは、支持体ＳＰ１及び偏光層ＰＬ１を貫通するものの、支持体ＳＰ２を貫通していない。つまり、溝ＧＲ１Ｂの深さＤ２は、第１光学フィルムＯＦ１の厚さＴ１より小さい。このような溝ＧＲ１Ｂが形成された場合であっても、第１光学フィルムＯＦ１に溝が形成されなかった場合と比較して、表示パネルＰＮＬの曲げが容易となる。
【００４６】
図示した溝ＧＲ１Ｃは、第１光学フィルムＯＦ１及び接着層ＡＤ１を貫通し、絶縁基板１０を露出している。つまり、溝ＧＲ１Ｃの深さＤ３は、第１光学フィルムＯＦ１の厚さＴ１と接着層ＡＤ１の厚さＴ４との総和と同等である。このような溝ＧＲ１Ｃが形成された場合であっても、表示パネルＰＮＬの曲げが容易となる。
【００４７】
図２３は、溝ＧＲ１の他の形状例を示す図である。図示した溝ＧＲ１Ｄは、図２２に示した溝ＧＲ１Ａと比較して、テーパー状の断面を有する点で相違している。溝ＧＲ１Ｄにおいては、支持体ＳＰ１を貫通する部分（つまり、表示パネルＰＮＬから離間した側の部分）の第１幅Ｗ４１が支持体ＳＰ２を貫通する部分（つまり、表示パネルＰＮＬに近接する側の部分）の第２幅Ｗ４２より大きい。このような断面を有する溝ＧＲ１Ｄは、第１光学フィルムＯＦ１に、ガウス分布のビームプロファイルを有するレーザー光（ガウスビーム）を照射することで形成可能である。なお、図２２に示した矩形状の断面を有する溝ＧＲ１Ａは、第１光学フィルムＯＦ１に、矩形波型のビームプロファイルを有するレーザー光を照射することで形成可能である。
【００４８】
なお、図２２乃至図２３では、溝ＧＲ１の形状例について説明したが、溝ＧＲ２も同様の形状となり得る。
【００４９】
図２４は、溝ＧＲ１を備えた第１光学フィルムＯＦ１の他の断面を示す図である。図示した溝ＧＲ１の周囲には、突部ＣＶが形成されている。突部ＣＶは、第１光学フィルムＯＦ１にレーザー光を照射した際に、レーザー光による熱で支持体ＳＰ１の一部が溶融し、溝ＧＲ１の周囲に付着したものである。すなわち、突部ＣＶは、レーザー光を照射して溝ＧＲ１を形成した際の痕跡をなすものである。
【００５０】
以上説明したように、本実施形態によれば、狭額縁化が可能な表示装置を提供することができる。
【００５１】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００５２】
本実施形態においては、表示装置の一例として、液晶表示装置について説明したが、これに限らない。本実施形態にて開示する主要な構成は、有機エレクトロルミネッセンス表示素子等を有する自発光型の表示装置、電気泳動素子等を有する電子ペーパ型の表示装置、ＭＥＭＳ（Micro Electro Mechanical Systems）を応用した表示装置、或いはエレクトロクロミズムを応用した表示装置などにも適用可能である。
【００５３】
本実施形態の表示パネルＰＮＬは、第１基板ＳＵＢ１の背面側からの光を選択的に透過させることで画像を表示する透過表示機能を備えた透過型であったが、これに限らない。表示パネルＰＮＬは、第２基板ＳＵＢ２の前面側からの光を選択的に反射させることで画像を表示する反射表示機能を備えた反射型、あるいは、透過表示機能及び反射表示機能を備えた半透過型のいずれであってもよい。表示パネルＰＮＬが反射型である場合には、図２に示したような照明装置ＩＬが省略される。
【符号の説明】
【００５４】
ＤＳＰ…表示装置  ＤＡ…表示領域  ＮＤＡ…非表示領域
ＰＮＬ…表示パネル  ＦＬ１…第１平坦部  ＦＬ２…第２平坦部  ＢＤ…曲げ部
ＧＮ…母線
ＯＦ１…第１光学フィルム  ＰＬ１…偏光層  ＧＲ１…溝
ＯＦ２…第２光学フィルム  ＰＬ２…偏光層  ＧＲ２…溝
ＩＬ…照明装置
【図１】
2019060906.tif 000003
【図２】
2019060906.tif 000004
【図３】
2019060906.tif 000005
【図４】
2019060906.tif 000006
【図５】
2019060906.tif 000007
【図６】
2019060906.tif 000008
【図７】
2019060906.tif 000009
【図８】
2019060906.tif 000010
【図９】
2019060906.tif 000011
【図１０】
2019060906.tif 000012
【図１１】
2019060906.tif 000013
【図１２】
2019060906.tif 000014
【図１３】
2019060906.tif 000015
【図１４】
2019060906.tif 000016
【図１５】
2019060906.tif 000017
【図１６】
2019060906.tif 000018
【図１７】
2019060906.tif 000019
【図１８】
2019060906.tif 000020
【図１９】
2019060906.tif 000021
【図２０】
2019060906.tif 000022
【図２１】
2019060906.tif 000023
【図２２】
2019060906.tif 000024
【図２３】
2019060906.tif 000025
【図２４】
2019060906.tif 000026